(57)【要約】      （修正有）【課題】夜間における照明を提供でき、ユーザーが夜での階段登りやランプへのメンテナンスに便利であるＬＥＤ廊下ランプを提供する。【解決手段】ＬＥＤ廊下ランプであって、連結ベース１を含み、連結ベースの中部に取り付け穴があり、取り付け穴に金属ホース２が附属され、金属ホースの連結ベースに離れた側にランプシェード３が設置される。ランプシェードの内部に第一ランプソケット４があり、第一ランプソケットのネジ部に第一ＬＥＤランプ５が設置され、ランプシェードの内部にディフューザー６が設置される。第一ＬＥＤランプがディフューザーの真ん中位置に設置され、ランプシェードに蓋７を設ける。蓋は第一ＬＥＤランプを密封し、金属ホースの外壁に第一金属ホース２０１が設置される。第一金属ホースの金属ホースに離れた側に第二ランプソケット２０２が設置され、第二ランプソケットの中に第二ＬＥＤランプ２０３がある。【選択図】図１
0003191416.tif 000002
【実用新案登録請求の範囲】
【請求項１】
LED廊下ランプであり、その特徴は：連結ベースを含み、連結ベースの中部に取り付け穴があり、当取り付け穴に金属ホースが附属され、前述した金属ホースの連結ベースに離れた側にランプシェードが設置され、前述したランプシェードの内部に第一ランプソケットがあり、前述した第一ランプソケットのネジ部に第一LEDランプが設置され、前述したランプシェードの内部にディフューザーが設置され、前述した第一LEDランプがディフューザーの真ん中位置に設置され、前述したランプシェードに蓋が設置され、前述した蓋は第一LEDランプを密封し、前述した金属ホースの外壁に第一金属ホースが設置され、前述した第一金属ホースの金属ホースに離れた側に第二ランプソケットが設置され、前述した第二ランプソケットの中に第二LEDランプがあり、前述した金属ホースに第一ランプソケットと連結する送電線が内蔵され、前述した第一金属ホースに第二ランプソケットと連結する第一送電線が内蔵され、前述した第一送電線が金属ホースの内部まで延長されることを特徴とするLED廊下ランプ。
【請求項２】
請求項１に記載のLED廊下ランプにおいて、その特徴は：前述した連結ベースの外壁にネジ部があり、当ネジ部を通して金属フェンスが設置され、前述した連結ベースに二つ以上のネジ穴が対称的に配置され、当ネジ穴にネジがセットされ、前述した金属フェンスが前述したネジをカバーすることを特徴とするLED廊下ランプ。
【請求項３】
請求項１に記載のLED廊下ランプにおいて、その特徴は：前述した第二ランプソケットの内部に第一送電線と連結ための配線コンタクトがあり、前述した第二LEDランプはネジ山に回すことによって、当配線コンタクトと接触することを特徴とするLED廊下ランプ。
【請求項４】
請求項１に記載のLED廊下ランプにおいて、その特徴は：前述した第一金属ホースの直径は金属ホースの直径より小さく、第一金属ホースはネジ部で金属ホースと連結することを特徴とするLED廊下ランプ。
【請求項５】
請求項１に記載のLED廊下ランプにおいて、その特徴は：前述した蓋は透明なプラスチックで作られることを特徴とするLED廊下ランプ。
【請求項６】
請求項１に記載のLED廊下ランプにおいて、その特徴は：前述したランプシェードの表に複数の放熱溝を均一に設置され、前述した放熱溝はV型であることを特徴とするLED廊下ランプ。
【考案の詳細な説明】
【技術分野】
【０００１】
本実用新案はLED廊下ランプに関わる。
【背景技術】
【０００２】
住宅地の住民生活においてよく廊下ランプが壊れたことと対面する。夜間照明器具の損壊によって、階段登りは困難になり、転落することに繋がる。通常懐中電灯などを使い、不便である。さらに夜間での修理も不便である。
【考案の概要】
【考案が解決しようとする課題】
【０００３】
本実用新案の解決したい技術課題とはLED廊下ランプを提供することである。本装置は夜間における照明を提供でき、ユーザーが夜での階段登りやランプへのメンテナンスに便利である。
【課題を解決するための手段】
【０００４】
上述した課題を解決する為、本実用新案は以下の技術案を採用する：
【０００５】
LED廊下ランプであり、連結ベースを含み、連結ベースの中部に取り付け穴があり、当取り付け穴に金属ホースが附属され、前述した金属ホースの連結ベースに離れた側にランプシェードが設置され、前述したランプシェードの内部に第一ランプソケットがあり、前述した第一ランプソケットのネジ部に第一LEDランプが設置され、前述したランプシェードの内部にディフューザーが設置され、前述した第一LEDランプがディフューザーの真ん中位置に設置され、前述したランプシェードに蓋が設置され、前述した蓋は第一LEDランプを密封し、前述した金属ホースの外壁に第一金属ホースが設置され、前述した第一金属ホースの金属ホースに離れた側に第二ランプソケットが設置され、前述した第二ランプソケットの中に第二LEDランプがあり、前述した金属ホースに第一ランプソケットと連結する送電線が内蔵され、前述した第一金属ホースに第二ランプソケットと連結する第一送電線が内蔵され、前述した第一送電線が金属ホースの内部まで延長される。
【０００６】
最適な技術案として、前述した連結ベースの外壁にネジ部があり、当ネジ部を通して金属フェンスが設置され、前述した連結ベースに二つ以上のネジ穴が対称的に配置され、当ネジ穴にネジがセットされ、前述した金属フェンスが前述したネジをカバーする。
【０００７】
最適な技術案として、前述した第二ランプソケットの内部に第一送電線と連結ための配線コンタクトがあり、前述した第二LEDランプはネジ山に回すことによって、当配線コンタクトと接触する。
【０００８】
最適な技術案として、前述した第一金属ホースの直径は金属ホースの直径より小さく、第一金属ホースはネジ部で金属ホースと連結する。
【０００９】
最適な技術案として、前述した蓋は透明なプラスチックで作られる。
【００１０】
最適な技術案として、前述したランプシェードの表に複数の放熱溝を均一に設置され、前述した放熱溝はV型である。
【考案の効果】
【００１１】
本実用新案の有益な効果は：第一LEDランプが故障した場合、ユーザーは第二LEDランプを回すだけで、第二LEDランプを点灯でき、照明を提供する。同時に、ユーザーは夜間で第一LEDランプに対して修理することは便利になり、金属ホースで連結ことによって、第一LEDランプの照射角度の調整は便利になり、第一金属ホースで連結ことによって、第二LEDランプもニーズに合わせて曲がることができ、修理や照明に便利である。本装置の構造は簡単で、同時に既存廊下ランプの改造に利用でき、便利で、普及して利用することに適応する。
【図面の簡単な説明】
【００１２】
【図１】本実用新案の構造図である。
【図２】ランプシェードの構造図である。
【考案を実施するための形態】
【００１３】
図を添付して説明する。
【００１４】
より明白に本実用新案の実施例また既存技術における技術案を説明する為、以下では、実施例また既存技術の記述に必要とする図に対して、簡単な説明を行う。明らかに、以下の記述に現れる図は本実用新案の一部実施例であり、本技術分野の普通な技術者にとって、創造的な労働をしない前提で、これらの図に基づいて他の図を入手することができる。
【００１５】
以下は添付した図に従って、本実用新案の最適な技術実例を詳しく説明し、本実用新案の長所と特徴を本技術分野の技術者によく簡単に理解させ、よって、本実用新案の保護範囲をより明白に定める。
【００１６】
図1と図２に示されたLED廊下ランを参照して、それは連結ベース１を含み、連結ベース１の中部に取り付け穴（図に示されていない）があり、当取り付け穴に金属ホース２が附属され、前述した金属ホース２の連結ベース１に離れた側にランプシェード３が設置され、前述したランプシェード３の内部に第一ランプソケット４があり、前述した第一ランプソケット４のネジ部に第一LEDランプ５が設置され、前述したランプシェード３の内部にディフューザー６が設置され、前述した第一LEDランプ５がディフューザー６の真ん中位置に設置され、前述したランプシェード３に蓋７が設置され、前述した蓋７は第一LEDランプ５を密封し、前述した金属ホース２の外壁に第一金属ホース201が設置され、前述した第一金属ホース201の金属ホース２に離れた側に第二ランプソケット202が設置され、前述した第二ランプソケット202の中に第二LEDランプ203があり、前述した金属ホース２に第一ランプソケット４と連結する送電線401が内蔵され、前述した第一金属ホース201に第二ランプソケット202と連結する第一送電線204が内蔵され、前述した第一送電線204が金属ホース２の内部まで延長される。
【００１７】
本実用新案の良い技術案として、前述した連結ベース１の外壁にネジ部があり、当ネジ部を通して金属フェンス８が設置され、前述した連結ベース１に二つ以上のネジ穴（図に示されていない）が対称的に配置され、当ネジ穴にネジ９がセットされ、前述した金属フェンス８が前述したネジ９をカバーする。
【００１８】
本実用新案の良い技術案として、前述した第二ランプソケット202の内部に第一送電線204と連結ための配線コンタクト212があり、前述した第二LEDランプ203はネジ山に回すことによって、当配線コンタクト212と接触する。
【００１９】
本実用新案の良い技術案として、前述した第一金属ホース201の直径は金属ホース２の直径より小さく、第一金属ホース201はネジ部で金属ホース２と連結する。
【００２０】
本実用新案の良い技術案として、前述した蓋７は透明なプラスチックで作られる。
【００２１】
本実用新案の良い技術案として、前述したランプシェード３の表に複数の放熱溝301を均一に設置され、前述した放熱溝301はV型である。
【００２２】
本実用新案の有益な効果は：第一LEDランプが故障した場合、ユーザーは第二LEDランプを回すだけで、第二LEDランプを点灯でき、照明を提供する。同時に、ユーザーは夜間で第一LEDランプに対して修理することは便利になり、金属ホースで連結ことによって、第一LEDランプの照射角度の調整は便利になり、第一金属ホースで連結ことによって、第二LEDランプもニーズに合わせて曲がることができ、修理や照明に便利である。本装置の構造は簡単で、同時に既存廊下ランプの改造に利用でき、便利で、普及して利用することに適応する。
【００２３】
以上は本実用新案の基本原理、主要特徴と本実用新案の長所を示した。本分野の技術者は、本実用新案が上述した実施例に制限されなく、上述した実施例と説明書に述べたものは、単なる本実用新案の原理を説明だけで、本実用新案の精神と範囲を抜けない前提で、本実用新案はまだ様々な変化と改善が現れるはずで、これらの変化と改善は全て保護される本実用新案の範囲に含まれることを理解すべき。本実用新案の要求された保護範囲は添付した実用新案登録請求の範囲及び同等物によって定義される。
【符号の説明】
【００２４】
１  連結ベース
２  金属ホース
３  ランプシェード
４  第一ランプソケット
５  第一LEDランプ
６  ディフューザー
７  蓋
８  金属フェンス
９  ネジ
201  第一金属ホース
202  第二ランプソケット
203  第二LEDランプ
204  第一送電線
【図１】
0003191416.tif 000003
【図２】
0003191416.tif 000004